(57)【要約】【課題】熱的切断により管板を容易かつ確実に切断すること。【解決手段】伝熱管の端部が管板４に貫通する管穴４ａに対して挿通固定された熱交換器に関し、管板４を熱的切断するための熱交換器管板切断方法において、伝熱管が切断または除去された管板４に対して少なくとも所定の切断軌跡上にある管穴４ａを埋込材１５で埋める工程と、管穴４ａが貫通する一方の面４Ａ側からガスＧを噴射して切断軌跡に沿って熱的切断を行う工程と、を含む。【選択図】図１１
2014055747.tif 000002
【特許請求の範囲】
【請求項１】
伝熱管の端部が管板に貫通する管穴に対して挿通固定された熱交換器に関し、前記管板を熱的切断するための熱交換器管板切断方法において、
前記伝熱管が切断または除去された前記管板に対して少なくとも所定の切断軌跡上にある前記管穴を埋込材で埋める工程と、
前記管穴が貫通する一方の面側からガスを噴射して前記切断軌跡に沿って熱的切断を行う工程と、
を含むことを特徴とする熱交換器管板切断方法。
【請求項２】
前記切断軌跡の終端となる前記管板の側面に延長部材を設け、当該延長部材を前記管板とともに切断することを特徴とする請求項１に記載の熱交換器管板切断方法。
【請求項３】
前記管板の一方の面から連なるように前記切断軌跡の終端となる前記管板の側面に沿ってガスを噴射して熱的切断を行うことを特徴とする請求項１に記載の熱交換器管板切断方法。
【請求項４】
前記埋込材は、管穴に挿入される棒状の鋼材、コンクリートの管穴への流し込み、または管穴に挿入される棒状のコンクリートが適用されることを特徴とする請求項１〜３の何れか１つに記載の熱交換器管板切断方法。
【請求項５】
前記切断軌跡上にある前記管穴の周囲の前記管穴も前記埋込材で埋めることを特徴とする請求項１〜４の何れか１つに記載の熱交換器管板切断方法。
【請求項６】
前記管穴が貫通する前記管板の片面側に鋼材の保護層が設けられており、当該保護層を他方の面として前記一方の面側から熱的切断を行うことを特徴とする請求項１〜５の何れか１つに記載の熱交換器管板切断方法。
【請求項７】
前記切断軌跡上にある前記管穴の他の前記管穴に対し、吊下部材を挿入して取り付けることを特徴とする請求項１〜６の何れか１つに記載の熱交換器管板切断方法。
【発明の詳細な説明】
【技術分野】
【０００１】
本発明は、熱交換器において伝熱管を挿通する管板を切断して解体するための熱交換器管板切断方法に関するものである。
【背景技術】
【０００２】
例えば、加圧水型原子炉（ＰＷＲ：Pressurized  Water  Reactor）に用いられる熱交換器としての蒸気発生器は、逆Ｕ字形状に形成された多数の伝熱管を有している。伝熱管は、筒状の胴部内に収容され、両端部が、胴部の筒状の下部を閉塞するように固定された管板に対して挿入固定されている。管板は、水室鏡が設けられている。水室鏡は、蒸気発生器において伝熱管が挿入される方向とは反対側の管板の端部に設けられており、管板とともに水室を形成する。水室は、隔壁により入口側水室と出口側水室とに分けられ、これら入口側水室と出口側水室とに伝熱管の各端部がそれぞれ連通されている。この蒸気発生器は、原子炉から加圧された高温の一次冷却水が入口側水室から導入され、伝熱管内部を流れて出口側水室から原子炉に戻される。そして、伝熱管内部に一次冷却水が流れることで当該伝熱管が加熱されるため、蒸気発生器の胴部内に導入された二次冷却水を加熱し蒸気とする。
【０００３】
この蒸気発生器は、交換時や原子炉の廃炉の際に取り外される。蒸気発生器は、上述したように、伝熱管の内部を原子炉からの一次冷却水が通過するため、伝熱管は放射線に曝されており放射能を含む。そのため、一般に、取り外された蒸気発生器は、放射性廃棄物として、原子力発電設備内の保管庫にそのままの形で保管されることになる（例えば、特許文献１参照）。
【０００４】
ところで、蒸気発生器は、例えば、外径４．５ｍ、長さ（高さ）２１ｍ、重量３００ｔと大型のものであり、原子力発電設備内の保管庫にそのままの形で保管するには、大型の保管庫が必要となる。しかし、今後保管する蒸気発生器の数が増えることが想定されるため、一層大型の保管庫を用意する必要があるが、原子力発電設備内において、一層大型の保管庫の場所を確保することは困難な状況にある。
【０００５】
このため、蒸気発生器を解体し、放射性廃棄物の容積を低減し、処分することが検討されている。この場合、蒸気発生器は、長さ方向が横置きとされた状態で、胴部が、湿分分離器や湿分分離器が設けられている上側の上部胴と、伝熱管が設けられている下側の下部胴とに切断され、それぞれがさらに小さく切断されて解体される（例えば、特許文献２参照）。
【先行技術文献】
【特許文献】
【０００６】
【特許文献１】特開平８−４３５７７号公報
【特許文献２】特開２０１１−３３３４９号公報
【発明の概要】
【発明が解決しようとする課題】
【０００７】
管板は、伝熱管が挿入される管穴が板厚を貫通して設けられている。蒸気発生器の解体において、この管板を切断する際、管穴が開いている一方の面側から当該面に沿って移動するように熱的切断（ガス切断、レーザ切断、プラズマ切断など）を行う。そして、管板は、６００［ｍｍ］程の板厚を有しているため、一方の面側が先に切断され、他方の面側が移動方向に対して遅れて切断されることになる。このような熱的切断において、管板に貫通している管穴によってガス（ガス切断やプラズマ切断の作動ガスやレーザ切断のアシストガス）が他方の面側に抜けてしまい、管板の他方の面側を確実に切断することができない。したがって、切断できない部分を、作業時間を要する機械切断（コアボーリングやワイヤソー）で対応せざるを得なかった。
【０００８】
本発明は、上述した課題を解決するものであり、熱的切断により管板を容易かつ確実に切断することのできる熱交換器管板切断方法を提供することを目的とする。
【課題を解決するための手段】
【０００９】
上述の目的を達成するために、第１の発明の熱交換器管板切断方法は、伝熱管の端部が管板に貫通する管穴に対して挿通固定された熱交換器に関し、前記管板を熱的切断するための熱交換器管板切断方法において、前記伝熱管が切断または除去された前記管板に対して少なくとも所定の切断軌跡上にある前記管穴を埋込材で埋める工程と、前記管穴が貫通する一方の面側からガスを噴射して前記切断軌跡に沿って熱的切断を行う工程と、を含むことを特徴とする。
【００１０】
切断にあたり、熱的切断のガスは、管板の板厚切断対象として比較的厚い場合、管板の板厚方向において管板の一方の面側に対して他方の面側では遅れて移動する。このため、管板の板厚方向において管板の一方の面側に対して他方の面側が遅れて切断される。そして、本発明の熱交換器管板切断方法では、埋込材により管穴を埋めていることから、ガスが管穴を経て他方の面側に抜ける事態を防ぐ。このため、管板の他方の面側を確実に切断することができる。
【００１１】
また、第２の発明の熱交換器管板切断方法は、第１の発明において、前記切断軌跡の終端となる前記管板の側面に延長部材を設け、当該延長部材を前記管板とともに切断することを特徴とする。
【００１２】
この熱交換器管板切断方法によれば、上述したように、ガスは、管板の板厚が切断対象として比較的厚い場合、管板の板厚方向において管板の一方の面側に対して他方の面側では遅れて移動する。そして、切断軌跡の終端となる管板の側面でも、管板の一方の面側に対して他方の面側が遅れて切断される。ここでも、管穴と同様に側面の外側は空間になっていることから、他方の面側が確実に切断されないおそれがある。本発明の熱交換器管板切断方法では、この側面の外側に延長部材を設けたことから、ガスが側面の外側に抜ける事態を防ぐ。このため、管板の側面における他方の面側を確実に切断することができる。
【００１３】
また、第３の発明の熱交換器管板切断方法は、第１の発明において、前記管板の一方の面から連なるように前記切断軌跡の終端となる前記管板の側面に沿ってガスを噴射して熱的切断を行うことを特徴とする。
【００１４】
この熱交換器管板切断方法によれば、上述したように、ガスは、管板の板厚が切断対象として比較的厚い場合、管板の板厚方向において管板の一方の面側に対して他方の面側では遅れて移動する。そして、切断軌跡の終端となる管板の側面でも、管板の一方の面側に対して他方の面側が遅れて切断される。ここでも、管穴と同様に側面の外側は空間になっていることから、他方の面側が確実に切断されないおそれがある。本発明の熱交換器管板切断方法では、側面に沿って熱的切断を行うことから、ガスが側面の外側に抜ける事態を防ぐ。このため、管板の側面における他方の面側を確実に切断することができる。
【００１５】
また、第４の発明の熱交換器管板切断方法は、第１〜第３の何れか１つの発明において、前記埋込材は、管穴に挿入される棒状の鋼材、コンクリートの管穴への流し込み、または管穴に挿入される棒状のコンクリートが適用されることを特徴とする。
【００１６】
この熱交換器管板切断方法によれば、コンクリートの管穴への流し込みや、棒状体は、管穴を簡易的に埋めることが可能であり、作業コストを低減するうえで好ましい。
【００１７】
また、第５の発明の熱交換器管板切断方法は、第１〜第４の何れか１つの発明において、前記切断軌跡上にある前記管穴の周囲の前記管穴も前記埋込材で埋めることを特徴とする。
【００１８】
この熱交換器管板切断方法によれば、切断部分の周囲の剛性が向上するため、切断部分を起点としてクラックが発生したり、破片が生じて飛散したりする事態を防ぐことができる。
【００１９】
また、第６の発明の熱交換器管板切断方法は、第１〜第５の何れか１つの発明において、前記管穴が貫通する前記管板の片面側に鋼材の保護層が設けられており、当該保護層を他方の面として前記一方の面側から熱的切断を行うことを特徴とする。
【００２０】
加圧水型原子炉に用いられる蒸気発生器においては、管板の水室側となる片面側に、一次冷却水の放射線から保護のための保護層が肉盛されている。そして、保護層が熱的切断により切断し難い場合、この保護層が設けられていない面を一方の面とし、保護層が設けられている面を他方の面として、一方の面側から熱的切断を行えば、熱的切断を容易かつ確実に行うことができる。
【００２１】
また、第７の発明の熱交換器管板切断方法は、第１〜第６の何れか１つの発明において、前記切断軌跡上にある前記管穴の他の前記管穴に対し、吊下部材を挿入して取り付けることを特徴とする。
【００２２】
一般に、吊りピースが溶接により取り付けられるが、管穴を利用して吊下部材を挿入して取り付けることで、上記溶接作業を省いて作業性を向上することができる。
【発明の効果】
【００２３】
本発明によれば、熱的切断により管板を容易かつ確実に切断することができる。
【図面の簡単な説明】
【００２４】
【図１】図１は、蒸気発生器の概略側断面図である。
【図２】図２は、蒸気発生器の解体手順を示す工程図である。
【図３】図３は、蒸気発生器の解体手順を示す工程図である。
【図４】図４は、蒸気発生器の解体手順を示す工程図である。
【図５】図５は、蒸気発生器の解体手順を示す工程図である。
【図６】図６は、蒸気発生器の解体手順を示す工程図である。
【図７】図７は、蒸気発生器の解体手順を示す工程図である。
【図８】図８は、蒸気発生器の管板の切断について示す平面図である。
【図９】図９は、蒸気発生器の管板の切断について示す側断面図である。
【図１０】図１０は、蒸気発生器の管板の切断方法を示す斜視図である。
【図１１】図１１は、蒸気発生器の管板の切断方法を示す側断面図である。
【図１２】図１２は、蒸気発生器の管板の切断方法を示す側断面図である。
【図１３】図１３は、蒸気発生器の管板の切断方法を示す側断面図である。
【図１４】図１４は、蒸気発生器の管板の切断方法を示す側断面図である。
【図１５】図１５は、蒸気発生器の管板の切断方法を示す側断面図である。
【発明を実施するための形態】
【００２５】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００２６】
図１は、蒸気発生器の概略側断面図である。熱交換器としての蒸気発生器１は、例えば、加圧水型原子炉（ＰＷＲ：Pressurized  Water  Reactor）に用いられる。加圧水型原子炉は、原子炉冷却材および中性子減速材として軽水を使用している。加圧水型原子炉は、軽水を炉心全体にわたって沸騰しない高温高圧水としての一次冷却水を蒸気発生器１に送る。蒸気発生器１では、高温高圧の一次冷却水の熱を二次冷却水に伝え、二次冷却水に水蒸気を発生させる。そして、この水蒸気によりタービン発電機が回されて発電する。
【００２７】
蒸気発生器１は、上下方向に長尺に延在され、かつ密閉された中空円筒形状をなす胴部２を有している。胴部２は、上半部に対して下半部が若干小径とされ、下半部をなす下部胴２ａ、上半部をなす上部胴２ｂ、下部胴２ａと上部胴２ｂとの間を繋ぐほぼ円錐台形状の円錐胴２ｃ、および上部胴２ｂの上端に設けられた上部鏡２ｄで構成されている。
【００２８】
蒸気発生器１は、下部胴２ａの内部に、内壁面と所定間隔をもって配置された円筒形状を成す管群外筒３が設けられている。この管群外筒３は、その下端部が、下部胴２ａの下端部に配置された管板４の近傍まで延設されている。管群外筒３内には、伝熱管群５Ａが設けられている。伝熱管群５Ａは、逆Ｕ字形状で上下方向に長尺とされた複数の伝熱管５からなる。各伝熱管５は、Ｕ字形状の円弧部を上方に向けて配置され、各端部が管板４の管穴４ａに挿通固定されているとともに、中間部における長手方向の複数箇所が各管支持板６を介して管群外筒３に支持されている。管支持板６は、多数の伝熱管挿通穴６ａが形成されており、この伝熱管挿通穴６ａに各伝熱管５が挿通されることで各伝熱管５を支持する。
【００２９】
蒸気発生器１は、管板４の下に水室鏡７が設けられ、この水室鏡７の内部が隔壁８により入口側水室７Ａと出口側水室７Ｂとに区画されている。入口側水室７Ａは、各伝熱管５の一端部が連通され、出口側水室７Ｂは、各伝熱管５の他端部が連通されている。また、入口側水室７Ａは、胴部２の外部に通じる入口ノズル７Ａａが形成され、出口側水室７Ｂは、胴部２の外部に通じる出口ノズル７Ｂａが形成されている。そして、入口ノズル７Ａａは、加圧水型原子炉から一次冷却水が送られる冷却水配管（図示せず）が連結され、出口ノズル７Ｂａは、熱交換された後の一次冷却水を加圧水型原子炉に送る冷却水配管（図示せず）が連結される。
【００３０】
蒸気発生器１は、上部胴２ｂの内部に、給水を蒸気と熱水とに分離する気水分離器９、および分離された蒸気の湿分を除去して乾き蒸気に近い状態とする湿分分離器１０が設けられている。また、上部胴２ｂの下部であって、気水分離器９と伝熱管群５Ａとの間には、外部から下部胴２ａ内に二次冷却水の給水を行う給水管１１が挿入されている。また、蒸気発生器１は、下部胴２ａの内部に、給水管１１から下部胴２ａ内に給水された二次冷却水を、下部胴２ａと管群外筒３との間を流下させて管板４にて折り返させ、伝熱管群５Ａに沿って上昇させる給水路１２が形成されている。さらに、蒸気発生器１は、上部鏡２ｄに、蒸気排出口１３が形成されている。なお、蒸気排出口１３は、タービンに蒸気を送る冷却水配管（図示せず）が連結され、給水管１１は、タービンで使用された蒸気が復水器（図示せず）で冷却された二次冷却水を供給するための冷却水配管（図示せず）が連結される。
【００３１】
この蒸気発生器１では、加圧水型原子炉で加熱された一次冷却水は、入口側水室７Ａに送られ、多数の伝熱管５内を通って循環して出口側水室７Ｂに至る。一方、復水器で冷却された二次冷却水は、給水管１１に送られ、胴部２内の給水路１２を通って伝熱管群５Ａに沿って上昇する。このとき、胴部２内で、高圧高温の一次冷却水と二次冷却水との間で熱交換が行われる。そして、冷やされた一次冷却水は出口側水室７Ｂから加圧水型原子炉に戻される。一方、高圧高温の一次冷却水と熱交換を行った二次冷却水は、胴部２内を上昇し、気水分離器９で蒸気と熱水とに分離される。そして、分離された蒸気は、湿分分離器１０で湿分が除去されてから蒸気排出口１３からタービンに送られる。
【００３２】
このような蒸気発生器１は、上述したように、伝熱管５の内部を原子炉からの一次冷却水が通過するため、伝熱管５は放射線に曝されており放射能を含む。そのため、一般に、原子炉から取り外された蒸気発生器１は、放射性廃棄物として、原子力発電設備内の保管庫にそのままの形で一定期間保管される。その後、蒸気発生器１は、解体され、放射性廃棄物の容積が低減された形態で処分される。
【００３３】
図２〜図７は、蒸気発生器の解体手順を示す工程図である。図２に示すように、蒸気発生器１は、処理設備１００の床上に、支持架台１０１によって横置きとされた状態で解体される。なお、本実施形態では、横置きとされた蒸気発生器１において、使用時の上下方向に相当する長手方向を軸方向といい符号Ｌで示し、上下方向を符号Ｈで示す。そして、このように処理設備１００の床上に横置きとされた蒸気発生器１は、解体に際し、その全体をグリーンハウス１０２によって覆われる。グリーンハウス１０２は、天井に開閉可能な開口部が設けられ、当該開口部から天井クレーンの荷役フック１０４が挿入される。
【００３４】
蒸気発生器１の解体において、まず、図２に示すように、蒸気発生器１が横置きとされた状態で、入口側水室７Ａ内、出口側水室７Ｂ内、および伝熱管５内を、例えば、ブラスト除染によって除染する。
【００３５】
続いて、図３に示すように、上部胴２ｂを内部部材（気水分離器９や湿分分離器１０）とともに円錐胴２ｃから切り離す。
【００３６】
続いて、図４に示すように、円錐胴２ｃ、下部胴２ａ、管群外筒３、および伝熱管群５Ａを切り離す。そして、最後に、図５〜図７に示すように、管板４および水室鏡７をそれぞれ切り離す。管板４および水室鏡７は、図５に示すように、反転架台１０５を用いて管板４側を下にした状態に９０［°］回転される。次に、図６に示すように、管板４と水室鏡７とがそれぞれ切り離される。ここで、水室鏡７が切断解体される。次に、図７に示すように、反転架台１０５を用いて管板４が１８０［°］回転される。管板４は、水室鏡７側、すなわち水室内面となる面に、一次冷却水の放射線から保護のための保護層（図２〜図７中に太線で示す）が肉盛されている。水室鏡７の水室内面となる面にも保護層が肉盛されている。この保護層は、例えば、ニッケル基合金［インコネル（登録商標）］からなるため、熱的切断により切断し難いものであるから、この保護層が設けられていない面を上面（一方の面）４Ａとし（図８および図９参照）、保護層が設けられている面を下面（他方の面）４Ｂとするように（図９参照）、管板４を１８０［°］回転し、保護層のない一方の面４Ａから熱的切断を行うようにしている。
【００３７】
なお、胴部２の上部胴２ｂ、上部胴２ｂの内部部材（気水分離器９や湿分分離器１０）円錐胴２ｃ、下部胴２ａ、管群外筒３、および管支持板６などは、一次冷却水に接触せず放射線に曝されていないが、クリアランス装置で検査した後、荷役フック１０４を用いてグリーンハウス１０２の外部に搬出し、別途用意された解体場所において解体され、保管容器（図示せず）に収容する。また、伝熱管群５Ａ、管板４、および水室鏡７は、一次冷却水に接触して放射線に曝されているため、グリーンハウス１０２内において、放射線の漏洩を防止された保管容器（図示せず）に入る大きさに解体して収容する。
【００３８】
以下、管板４の切断方法について説明する。図８は、蒸気発生器の管板の切断について示す平面図であり、図９は、蒸気発生器の管板の切断について示す側断面図である。
【００３９】
管板４の切断は、熱的切断（ガス切断、レーザ切断、プラズマ切断など）で行われる。具体的に、管板４の切断は、図８および図９に示すように管板４の一方の面４Ａに切断ノズルＮを向けてガス（ガス切断やプラズマ切断の作動ガスやレーザ切断のアシストガス）Ｇを噴射させつつ、所定の切断軌跡Ｃ上を通過するように一方の面４Ａに沿って切断ノズルＮを矢印Ｓ方向に移動させる。
【００４０】
ここで、管板４は、伝熱管５の端部を挿通固定する管穴４ａが、管板４の一方の面４Ａと他方の面４Ｂとに開口するように貫通して設けられている。この管穴４ａは、管板４の各面４Ａ，４Ｂに多数開口していることから、管板４の切断にあたって、所定の切断軌跡Ｃ上に存在してしまう。そして、切断にあたり、切断ノズルＮから噴射されたガスＧは、管板４の板厚（管穴４ａの貫通方向）が６００［ｍｍ］程で切断対象として比較的厚いため、図９に示すように、管板４の板厚方向において管板４の一方の面４Ａ側に対して他方の面４Ｂ側では遅れて移動する。このため、管板４の板厚方向において管板４の一方の面４Ａ側に対して他方の面４Ｂ側が遅れて切断される。このような熱的切断において、管板４に管穴４ａが貫通しているため、管穴４ａによってガスＧが他方の面４Ｂ側に抜けてしまい、管板４の他方の面４Ｂ側（図９中Ｐのラインより下側）を確実に切断することができない。なお、管板４を切断する際の管穴４ａは、伝熱管５が二次冷却水側で切断されて残っている状態、または伝熱管５が取り除かれた状態を含む。
【００４１】
このため、本実施形態の熱交換器管板切断方法は、以下のように工夫することで、熱的切断により管板４を容易かつ確実に切断することを可能にした。
【００４２】
図１０は、蒸気発生器の管板の切断方法を示す斜視図であり、図１１〜図１５は、蒸気発生器の管板の切断方法を示す側断面図である。
【００４３】
図１０〜図１３に示すように、本実施形態の熱交換器管板切断方法は、管板４の少なくとも所定の切断軌跡Ｃ上にある管穴４ａを埋込材１５で埋める工程と、管穴４ａが貫通する一方の面４Ａ側からガスＧを噴射して切断軌跡Ｃに沿って熱的切断を行う工程と、を含む。
【００４４】
埋込材１５は、図１０、図１１、図１３においては、管穴４ａに充填されるもので、例えば、コンクリートを管穴４ａに流し込むことで設けられる。また、埋込材１５は、図１２においては、棒状の鋼材またはコンクリートを管穴４ａに挿入することで設けられる。そして、この状態で、管穴４ａが貫通する一方の面４Ａに切断ノズルＮの先端を向けてガスＧを噴射しつつ切断軌跡Ｃ上を通過するように一方の面４Ａに沿って切断ノズルＮを移動させる。
【００４５】
上述したように、切断にあたり、切断ノズルＮから噴射されたガスＧは、管板４の板厚（管穴４ａの貫通方向）が６００［ｍｍ］程で切断対象として比較的厚いため、図１１〜図１３に示すように、管板４の板厚方向において管板４の一方の面４Ａ側に対して他方の面４Ｂ側では遅れて移動する。このため、管板４の板厚方向において管板４の一方の面４Ａ側に対して他方の面４Ｂ側が遅れて切断される。そして、本実施形態の熱交換器管板切断方法では、埋込材１５により管穴４ａを埋めていることから、ガスＧが管穴４ａを経て他方の面４Ｂ側に抜ける事態を防ぐ。このため、管板４の他方の面４Ｂ側を確実に切断することが可能になる。
【００４６】
また、本実施形態の熱交換器管板切断方法は、図１０〜図１２に示すように、切断軌跡Ｃの終端となる管板４の側面４Ｃに、管板４とともに切断される延長部材１６を設けている。延長部材１６は、管板４とともに熱的切断されるように、例えば、鋼材からなる。また、延長部材１６は、図１１および図１２に示すように、切断ノズルＮから噴射されたガスＧが、管板４の板厚方向において遅れる分を管板４の側面４Ｃから延長させるように設ける。
【００４７】
上述したように、切断にあたり、切断ノズルＮから噴射されたガスＧは、管板４の板厚（管穴４ａの貫通方向）が６００［ｍｍ］程で切断対象として比較的厚いため、図１１および図１２に示すように、管板４の板厚方向において管板４の一方の面４Ａ側に対して他方の面４Ｂ側では遅れて移動する。そして、切断軌跡Ｃの終端となる管板４の側面４Ｃでも、管板４の一方の面４Ａ側に対して他方の面４Ｂ側が遅れて切断される。ここでも、管穴４ａと同様に側面４Ｃの外側は空間になっていることから、他方の面４Ｂ側が確実に切断されないおそれがある。本実施形態の熱交換器管板切断方法では、この側面４Ｃの外側に延長部材１６を設けたことから、ガスＧが側面４Ｃの外側に抜ける事態を防ぐ。このため、管板４の側面４Ｃにおける他方の面４Ｂ側を確実に切断することが可能になる。
【００４８】
また、本実施形態の熱交換器管板切断方法は、図１３に示すように、管板４の一方の面４Ａから連なるように切断軌跡Ｃの終端となる管板４の側面４Ｃに沿ってガスＧを噴射して熱的切断を行う。すなわち、埋込材１５で管穴４ａを埋めた状態で、管穴４ａが貫通する一方の面４Ａに切断ノズルＮの先端を向けてガスＧを噴射しつつ切断軌跡Ｃ上を通過するように一方の面４Ａに沿って切断ノズルＮを移動させ、続いて、管板４の一方の面４Ａから連なるように切断軌跡Ｃの終端となる管板４の側面４Ｃに切断ノズルＮの先端を向けてガスＧを噴射しつつ側面４Ｃに沿って他方の面４Ｂ側に切断ノズルＮを移動させる。
【００４９】
上述したように、切断にあたり、切断ノズルＮから噴射されたガスＧは、管板４の板厚（管穴４ａの貫通方向）が６００［ｍｍ］程で切断対象として比較的厚いため、図１１および図１２に示すように、管板４の板厚方向において管板４の一方の面４Ａ側に対して他方の面４Ｂ側では遅れて移動する。そして、切断軌跡Ｃの終端となる管板４の側面４Ｃでも、管板４の一方の面４Ａ側に対して他方の面４Ｂ側が遅れて切断される。ここでも、管穴４ａと同様に側面４Ｃの外側は空間になっていることから、他方の面４Ｂ側が確実に切断されないおそれがある。本実施形態の熱交換器管板切断方法では、この側面４Ｃに沿って熱的切断を行うことから、ガスＧが側面４Ｃの外側に抜ける事態を防ぐ。このため、管板４の側面４Ｃにおける他方の面４Ｂ側を確実に切断することが可能になる。
【００５０】
また、本実施形態の熱交換器管板切断方法は、埋込材１５は、管穴４ａに挿入される棒状の鋼材、コンクリートの管穴４ａへの流し込み、または管穴４ａに挿入される棒状のコンクリートが適用されることが好ましい。
【００５１】
コンクリートの管穴４ａへの流し込みや、棒状体は、管穴４ａを簡易的に埋めることが可能であり、作業コストを低減するうえで好ましい。なお、埋込材１５が棒状の場合、図１２に示すように埋込材１５の上端に管穴４ａの上縁に掛かる落下防止部材１５ａを設けることで、棒状の埋込材１５を管穴４ａに支持することが可能である。
【００５２】
また、本実施形態の熱交換器管板切断方法は、切断軌跡Ｃ上にある管穴４ａの周囲の管穴４ａも埋込材１５で埋めることが好ましい。
【００５３】
このようにすることで、切断部分の周囲の剛性が向上するため、切断部分を起点としてクラックが発生したり、破片が生じて飛散したりする事態を防ぐことが可能になる。
【００５４】
また、本実施形態の熱交換器管板切断方法は、管穴４ａが貫通する管板４の片面側に鋼材の保護層が設けられており、当該保護層を他方の面４Ｂとして一方の面４Ａ側から熱的切断を行うことが好ましい。
【００５５】
蒸気発生器１においては、上述したように管板４の水室側となる片面側に、一次冷却水の放射線から保護のための保護層（例えば、ニッケル基合金［インコネル（登録商標）］）が肉盛されている。そして、保護層は、熱的切断により切断し難いものであるから、この保護層が設けられていない面を上面（一方の面）４Ａとし、保護層が設けられている面を下面（他方の面）４Ｂとするように管板４を配置することで、熱的切断を容易かつ確実に行うことが可能になる。
【００５６】
また、本実施形態の熱交換器管板切断方法は、図１４に示すように、切断軌跡Ｃ上にある管穴４ａの他の管穴４ａに対し、吊下部材１７を挿入して取り付けることが好ましい。
【００５７】
吊下部材１７は、図１４に示すように、例えば、逆Ｕ字形状（または下向きコ字形状）で両端が管穴４ａに挿入される棒材である。吊下部材１７の両端は、管穴４ａの下側に貫通する長さに形成され、雄ネジ部１７ａを有し、この雄ネジ部１７ａに対して管穴４ａの下縁に掛かるナット１７ｂが取り付けられる。また、吊下部材１７の円弧部（矩形部）は、管穴４ａの上縁に掛かる支持部材１７ｃが挿通して設けられている。これにより、ナット１７ｂと支持部材１７ｃとの間で管板４の板厚を挟むようにして管穴４ａに挿入された吊下部材１７が管板４に取り付けられる。そして、この吊下部材１７を利用して切断された管板４の一部を、荷役フック１０４を用いて搬送することが可能になる。一般に、荷役フック１０４を用いる場合、吊りピースが溶接により取り付けられるが、管穴４ａを利用して吊下部材１７を取り付けることにより、上記溶接作業を省いて作業性を向上することが可能になる。
【００５８】
また、熱交換器管板切断方法の参考例として、図１５に示すように、管板４の側面４ＣからガスＧを噴射させて当該側面４Ｃに沿って上下方向に熱的切断を行ってもよい。この場合、埋込材１５は用いなくてもよい。すなわち、管板４の側面４Ｃに切断ノズルＮの先端を向けてガスＧを噴射しつつ側面４Ｃに沿って切断ノズルＮを移動させる。このようにしても、管穴４ａの影響を受けることなく管板４を確実かつ容易に熱的切断することが可能である。
【符号の説明】
【００５９】
１  蒸気発生器（熱交換器）
４  管板
４ａ  管穴
４Ａ  一方の面（上面）
４Ｂ  他方の面（下面）
４Ｃ  側面
５  伝熱管
１５  埋込材
１５ａ  落下防止部材
１６  延長部材
１７  吊下部材
１７ａ  雄ネジ部
１７ｂ  ナット
１７ｃ  支持部材
Ｃ  切断軌跡
Ｇ  ガス
Ｎ  切断ノズル
【図１】
2014055747.tif 000003
【図２】
2014055747.tif 000004
【図３】
2014055747.tif 000005
【図４】
2014055747.tif 000006
【図５】
2014055747.tif 000007
【図６】
2014055747.tif 000008
【図７】
2014055747.tif 000009
【図８】
2014055747.tif 000010
【図９】
2014055747.tif 000011
【図１０】
2014055747.tif 000012
【図１１】
2014055747.tif 000013
【図１２】
2014055747.tif 000014
【図１３】
2014055747.tif 000015
【図１４】
2014055747.tif 000016
【図１５】
2014055747.tif 000017